(57)【要約】【課題】無料ＲＭＰのコンテンツを速やかに視聴することができると共に、有料放送も視聴が可能な受信装置、送信装置、受信方法を提供する。【解決手段】  放送信号からスクランブル鍵（Ｋｓ）で暗号化されたコンテンツと、番組情報（ＥＣＭ）と契約に関わる個別情報（ＥＭＭ）を出力する受信部（１０２）と、制御モジュール（１５１）と通信を行うＩ／Ｆ部と、番組情報（ＥＣＭ）を処理して第１鍵情報を出力する第１ＥＣＭ処理部（１１１）と、制御モジュールでは個別情報（ＥＭＭ）を受け番組情報（ＥＣＭ）を復号するための鍵を記憶し、番組情報（ＥＣＭ）を受け復号鍵で復号して第２鍵情報を出力する第２ＥＣＭ処理部（１５３）と、第１又は第２ＥＣＭ処理部から出力された第１又は第２鍵情報を選択又は演算処理してスクランブル鍵（Ｋｓ）を出力する制御部（１１４）と、制御部から出力されたスクランブル鍵（Ｋｓ）により暗号化されたコンテンツを復号して出力するデスクランブラ部（１０３）をもつ受信装置。【選択図】図１
2008092187.tif 000002
【特許請求の範囲】
【請求項１】
受信した放送信号からスクランブル鍵で暗号化されたコンテンツと、コンテンツの視聴制御に関わる番組情報と、契約に関わる個別情報を出力する受信部と、
前記コンテンツの視聴制御及び契約管理を行う着脱可能な制御モジュールと通信を行うＩ／Ｆ部と、
前記番組情報を処理して第１鍵情報を出力する第１ＥＣＭ処理部と、
前記制御モジュールでは、前記Ｉ／Ｆ部を介して前記個別情報を受け、前記番組情報を復号するための鍵を記憶し、前記番組情報を受け、復号鍵で復号して第２鍵情報を出力する第２ＥＣＭ処理部と、
前記第１ＥＣＭ処理部又は第２ＥＣＭ処理部から出力された前記第１又は第２鍵情報を選択または演算処理して前記スクランブル鍵を出力する制御部と、
前記制御部から出力された前記スクランブル鍵により前記暗号化されたコンテンツを復号して出力するデスクランブラ部を具備することを特徴とする受信装置。
【請求項２】
前記デスクランブラからの復号信号を表示又は記録する処理部を更に有することを特徴とする請求項１記載の受信装置。
【請求項３】
前記受信部が受信した番組情報を、前記番組情報に含まれる指定情報に応じて前記第１ＥＣＭ処理部又は前記第２ＥＣＭ処理部の一方に供給する手段を更に有することを特徴とする請求項１記載の受信装置。
【請求項４】
前記第１ＥＣＭ処理部は、前記番組情報の非暗号部分に含まれる制御フラグを判別することで前記番組情報を前記第１ＥＣＭ処理部で処理すべきかを判断し、前記第２ＥＣＭ処理部も、前記番組情報の非暗号部分に含まれる制御フラグを判別することで前記番組情報を前記第２ＥＣＭ処理部で処理すべきかを判断することを特徴とする請求項１記載の受信装置。
【請求項５】
コンテンツをスクランブル鍵で暗号化する暗号化部と、
前記スクランブル鍵をそのまま第１鍵情報として、または前記スクランブル鍵から演算し生成した第１鍵情報、第２鍵情報の２つの鍵情報を選択出力する鍵生成部と、
前記第１鍵情報又は第２鍵情報の少なくともいずれかをワーク鍵で暗号化した番組情報を生成し、この番組情報の非暗号部分に受信機での処理単位を指定する情報を付加するＥＣＭ生成部と、
前記ＥＣＭ生成部の暗号化に使用するワーク鍵を含む個別情報を生成するＥＭＭ生成部と、
前記スクランブル鍵で暗号化したコンテンツと、前記番組情報と、前記個別情報を、放送波に重畳して送信し、又は、通信路を介して送信する送信部と、
を具備することを特徴とする送信装置。
【請求項６】
送信装置からのコンテンツを受信装置で受信する通信方法であって、
送信装置において、コンテンツをスクランブル鍵で暗号化し、
前記スクランブル鍵を演算して、第１鍵情報又はこれと異なる第２鍵情報を出力、またはスクランブル鍵をそのまま第１鍵情報として出力し、
前記第１鍵情報又は第２鍵情報を暗号化した番組情報を生成し、さらにこの番組情報の非暗号分に受信装置での処理先を指定する指定情報を付加し、
前記暗号化した鍵と契約にかかる情報を個別情報として生成し、
前記スクランブル鍵で暗号化したコンテンツと、前記番組情報と、前記個別情報を放送信号に重畳して送信し、
一方、受信装置において、
前記放送信号を受信しここから前記スクランブル鍵で暗号化されたコンテンツと、前記番組情報と、前記個別情報を抽出し、
前記番組情報に含まれる前記指定情報に応じて、前記番組情報を受信装置本体中に設けられた第１ＥＣＭ処理部又は受信装置本体に着脱可能な制御モジュールの中に設けられた第２ＥＣＭ処理部の一方に選択的に供給し、又は、前記指定情報に関わらず双方に供給し、
前記第１ＥＣＭ処理部又は前記第２ＥＣＭ処理部では選択供給された場合にはこのＥＣＭを処理し、選択されずに供給された場合には前記指定情報に応じて対応する部分を選択して処理して鍵情報を出力し、
前記鍵情報を選択または演算処理して前記スクランブル鍵として出力し、
前記スクランブル鍵により前記暗号化されたコンテンツを復号して出力することを特徴とする通信方法。
【発明の詳細な説明】
【技術分野】
【０００１】
この発明は、スクランブル鍵で暗号化したコンテンツを送信装置から受信装置で受信する受信装置、送信装置及び通信方法に関する。
【背景技術】
【０００２】
近年、通信衛星や放送衛星を用いた衛星デジタル放送や地上波デジタル放送が行われている。衛星デジタル放送では有料放送が行われており、契約者に対してチャンネル単位、番組単位、時間単位など様々な方法で視聴制御を可能にする限定受信システムが運用されている。
【０００３】
特許文献１は、限定受信システムの例を開示しており、利用者の契約状態等に応じた個別契約情報を、放送局側から放送信号を使って受信装置に伝送し、受信装置や受信装置に挿入されているＩＣカードに設定するものである。
【０００４】
各受信装置に伝送する個別の視聴契約情報は、ＥＭＭ（Entitlement Management Message）と呼ばれている。このＥＭＭには“受信装置固有のＩＤ（Identification）”が付加されている。ＥＭＭは、“受信装置固有のＩＤ”毎にユニークなマスター鍵（Ｋｍ）により暗号化された後、放送信号に多重されて放送局側のセンタ装置から各受信装置へ伝送される。
【０００５】
また、映像、音声、データ等のコンテンツは、スクランブル鍵（Ｋｓ）によりスクランブル化された後、放送信号に多重されて放送局側のセンタ装置から各受信装置へ伝送される。
【０００６】
スクランブル鍵（Ｋｓ）はＥＭＭの一部として伝送されるワーク鍵（Ｋｗ）によって暗号化された後、ＥＣＭ（Entitlement Control Message）として放送信号に多重されて放送局側のセンタ装置から各受信装置へ伝送される。
【０００７】
現在、国内のデジタル放送はＡＲＩＢ(電波産業会)で規格化された方式で運用されており、限定受信方式としてはARIB STD-B25で上述したようなＥＣＭ、ＥＭＭを利用した３重鍵構造でICカードを使用した限定受信方式が規定されている。
【０００８】
ＢＳ／１１０°ＣＳ放送では有料放送における視聴制御のために上記限定受信方式を採用しており、地上デジタル放送では視聴自体は無料であるが、限定受信方式をＲＭＰ（Rights Management & Protection）方式として利用している。このためにこの方式を無料のＲＭＰとして使用している。
【特許文献１】特許第２９４１３９８号公報
【発明の開示】
【発明が解決しようとする課題】
【０００９】
このような電波による放送とは別にネットワーク機能を備えたデジタル放送受信装置に対してネットワーク経由でのコンテンツ配信を行う場合の限定受信方式として放送と同様にＩＣカードを使用した方式が考えられる。この場合、電波とネットワークという伝送媒体特性の違いや運用形態の相違により限定受信システムとしては異なるものになることが想定される。
【００１０】
ネットワーク経由でのコンテンツ配信ではＶＯＤ（Video On Demand）や自主放送の他、地上デジタル放送の電波が届かない地域向けに地上デジタル放送の再送信サービスも行われることが想定される。
【００１１】
しかし、現在受信装置のＩＣカードのスロットは１つのものがほとんどであり、今後もコストなどの関係からこの状況は変わらないため、ＶＯＤ等と再送信をそれぞれ別のＩＣカードで処理するようなシステムは成り立たず、再送信サービス部分もネットワーク配信での限定受信システムを使用する必要がある。
【００１２】
しかし、放送における限定受信システムでは限定受信用のＩＣカードを受信装置に同梱するという運用スキームをとっているため、単なるＲＭＰ利用としてＩＣカードを使用している地上デジタル放送では受信機を購入後特別な契約等はなしに即番組が視聴可能な状態になっている。
【００１３】
しかし、ネットワーク配信用の限定受信システムではこのようなＩＣカードを同梱するスキームは想定していないため、まず契約によりＩＣカードを入手することからはじめる必要がある。従って、受信機を購入して設置した後、すぐ放送を視聴することができないという問題がある。特に地上デジタル放送は基幹放送であり、ネットワークでの再送信の場合でも受信機購入後、すぐに視聴可能な状態にすることが要望される。
【００１４】
本発明は、このようなＲＭＰ方式によって保護された地上デジタル放送のコンテンツを速やかに視聴することができると共に、有料番組として放送されるコンテンツも視聴が可能な受信装置、送信装置、受信方法を提供することを目的とする。
【課題を解決するための手段】
【００１５】
課題を解決するための一実施形態は、
受信した放送信号からスクランブル鍵（Ｋｓ）で暗号化されたコンテンツと、コンテンツの視聴制御に関わる番組情報（ＥＣＭ）と、契約に関わる個別情報（ＥＭＭ）を出力する受信部（１０２）と、
前記コンテンツの視聴制御及び契約管理を行う着脱可能な制御モジュール（１５１）と通信を行うＩ／Ｆ部（１１２）と、
前記番組情報（ＥＣＭ）を処理して第１鍵情報を出力する第１ＥＣＭ処理部（１１１）と、
前記制御モジュールでは、前記Ｉ／Ｆ部を介して前記個別情報（ＥＭＭ）を受け、前記番組情報（ＥＣＭ）を復号するための鍵を記憶し、前記番組情報（ＥＣＭ）を受け、復号鍵で復号して第２鍵情報を出力する第２ＥＣＭ処理部（１５３）と、
前記第１ＥＣＭ処理部又は第２ＥＣＭ処理部から出力された前記第１又は第２鍵情報を選択または演算処理して前記スクランブル鍵（Ｋｓ）を出力する制御部（１１４）と、
前記制御部から出力された前記スクランブル鍵（Ｋｓ）により前記暗号化されたコンテンツを復号して出力するデスクランブラ部（１０３）と、
を具備することを特徴とする受信装置である。
【発明の効果】
【００１６】
契約による有料放送をＩＣカード等を用いて確実に受信できる一方で、地上波デジタル放送等の単なるＲＭＰ利用の場合は内蔵のＥＣＭ処理部でＥＣＭを処理することで購入後速やかにこの放送を受信することが可能な送信装置、受信装置、受信方法を提供する。
【発明を実施するための最良の形態】
【００１７】
以下、この発明の実施の形態について図面を参照して詳細に説明する。
【００１８】
＜本発明の一実施形態である送受信システム＞
（受信装置の構成）
初めに、受信装置の構成を図面を用いて説明する。図１は、本発明の一実施形態に係る受信装置の構成の一例を示すブロック図である。
【００１９】
本発明の一実施形態であるデジタル放送受信装置１０１は、図１において、チューナ部１０２と、デスクランブラ１０３と、ＴＳデコード部１０４と、映像音声デコード部１０５と、表示処理部１０６と、通信処理部１０７と、制御部１０８と、キー入力部１０９と、リモコン１１０と、ＥＣＭ処理部１１１と、ＩＣカードＩ／Ｆ（インターフェース）部１１２と、メモリ部１１３と、ＫＳ制御部１１４から構成されている。以下、各部の特徴及び動作を説明する。
【００２０】
チューナ部１０２は、デジタル放送受信装置１０１に入力された放送波から所望のチャンネルを選局し、この選局したチャンネルのトランスポートストリーム（以下、ＴＳと記す）をデスクランブラ１０３へ出力する。ＴＳはコンテンツ保護のためにスクランブルされている。
【００２１】
デスクランブラ１０３は、チューナ部１０２又は通信処理部１０７から入力されたＴＳをデスクランブルしてＴＳデコード部１０４へ出力する。
【００２２】
ＴＳデコード部１０４は、デスクランブラ１０３から入力されたＴＳから必要なパケットを分離し、この分離したパケットから更に、放送番組信号（映像、音声）の抽出や各種多重データ（各種ＳＩ（Service Information）データやＥＣＭ，ＥＭＭ等）を分離する。また、ＴＳデコード部１０４は、分離した放送番組信号（映像、音声）は映像音声デコード部１０５へ出力する。
【００２３】
映像音声デコード部１０５は、ＴＳデコード部１０４から入力された放送番組信号（映像、音声）のデコードを行い、表示処理部１０６へ出力する。
【００２４】
表示処理部１０６は、映像音声デコード部１０５から入力された放送番組信号（映像、音声）を図示しない外部のモニタへ出力し表示・音声再生させる。また、表示処理部１０６は、ユーザとのインターフェース機能を果たすために各種エラー情報の表示画像信号を生成し、この生成した画像信号を放送番組信号（映像、音声）に代えて出力、或いは放送番組信号（映像、音声）と合成して出力する機能を有している。また、表示処理部１０６は、ＴＳデコード部１０４で分離されたＳＩデータから構成されたＥＰＧ画像信号を生成し、この生成した画像信号を放送番組信号（映像、音声）に代えて出力、或いは放送番組信号（映像、音声）と合成して出力する機能を有している。
【００２５】
通信処理部１０７は、Ethernet（登録商標）等のネットワーク回線に接続され、ネットワークを介してデータの送受を行うものであり、コンテンツ配信事業者のサーバーからコンテンツの受信、ＥＣＭやＥＭＭを受信する機能を有する。
【００２６】
制御部１０８は、デジタル放送受信装置１０１全体を制御する制御部であり、バス接続やシリアル通信接続等で接続されたデジタル放送受信装置１０１内の各ブロックによる機能を制御する。
【００２７】
キー入力部１０９は、リモートコントローラ（リモコン）１１０等のユーザインターフェース機器からの例えば赤外線等による遠隔操作信号を受信する機能を有している。
【００２８】
ＥＣＭ処理部Ａ１１１は、例えばＲＭＰ利用の放送に応じたＥＣＭ処理を行なうものであり、後述するＥＣＭ制御フラグにより、処理すべきと判断されたＥＣＭを選択的に処理する。
【００２９】
ＫＳ制御部１１４は、制御部１０８と連携して、上述したようなＥＣＭ、ＥＭＭを利用した３重鍵構造の復号処理等を制御する。
【００３０】
ＩＣカード１５１は、コンテンツの視聴制御及び契約管理を行うＣＡＳ（Conditional Access System）モジュールである。
【００３１】
Ｉ／Ｆ部１５２は、ＩＣカード１５１に内蔵されており、ＩＣカードＩ／Ｆ部１１２と通信を行なう。
【００３２】
ＥＣＭ処理部１５３は、ＩＣカード１５１に内蔵されており、ＥＣＭを復号してスクランブル鍵ＫＳを取得する。
【００３３】
ＥＭＭ処理部１５４は、ＩＣカード１５１に内蔵されており、“マスター鍵（Ｋｍ）”によりＥＭＭを復号して、ワーク鍵（Ｋｗ）等の契約により取得される情報を取得する。
【００３４】
メモリ１５５は、ＩＣカード１５１に内蔵されており、“マスター鍵（Ｋｍ）”等が格納され、さらにＥＭＭ処理部で取得したワーク鍵（Ｋｗ）等も記憶する。
【００３５】
（送信装置の構成）
次に、送信装置の構成を図面を用いて説明する。
【００３６】
送信装置２００は、図２に示すように、コンテンツをスクランブル鍵ＫＳでスクランブル処理するスクランブラ２０１と、スクランブル鍵ＫＳをの生成とＥＣＭ生成部にスクランブル鍵ＫＳから演算した鍵情報の生成を行うＫｓ生成部生成部２０３、ＥＣＭ生成部から入力される鍵情報とコンテンツの視聴制御に関わる番組情報をワーク鍵Ｋｗで暗号化したＥＣＭを生成するＥＣＭ生成部２０２、各ユーザの契約に関わる個別情報とワーク鍵をユーザ個別の鍵Ｋｍiで暗号化したＥＭＭを生成するＥＭＭ生成部２０４とを有する。更に、送信装置２００は、スクランブルされたコンテンツとＥＣＭ，ＥＭＭ等のデータを多重化する多重化部２０５と、放送信号に搬送させて上記のコンテンツ信号等を送信するデジタル変調部２０６と、インターネット等のネットワークを介して上記のコンテンツ信号等を受信装置１０１に送信するネットワーク通信部２０７を有している。
【００３７】
（ＥＣＭ）
次に、上述したコンテンツの視聴制御に関わる番組情報であるＥＣＭのデータ構造を図面を用いて説明する。図３及び図４にＥＣＭの構成例を示す。
【００３８】
ＥＣＭセクションは、図３に示すように、ＥＣＭセクションヘッダとＥＣＭ本体とＣＲＣ誤り検出とからなる。ＥＣＭ本体は、ＥＣＭ非暗号化ヘッダと、ＥＣＭ暗号化ヘッダと、ＥＣＭ可変部と改ざん検出とからなる。
【００３９】
特に、ＥＣＭの処理先識別を指標するために設けているＥＣＭ本体のＥＣＭ非暗号化ヘッダ部分のＥＣＭ制御フラグ以外はＡＲＩＢ ＳＴＤ−Ｂ２５に記載されるＥＣＭの項目と同等の機能を有するものである。。
【００４０】
このＥＣＭ制御フラグは、ＥＣＭの非暗号部分に記載される処理先識別はＥＣＭ処理部Ａ，Ｂのどちらで処理するＥＣＭを含んでいるかを示すフラグであり、例えばビットマップとして表現し、一例として、０×０１であればＥＣＭ処理部Ａで処理するＥＣＭがあることを示し、０×０２であればＥＣＭ処理部Ｂで処理するＥＣＭがあることを示し、０×０３であればＥＣＭ処理部Ａ，Ｂで処理するＥＣＭがともにあることを示すようにコーディングされる。
【００４１】
制御部では受信したＥＣＭのこの領域を参照し、ＥＣＭ処理部Ａ又はＥＣＭ処理部Ｂに必要な部分を入力するような制御機能を有する。
【００４２】
（送信装置及び受信装置での通信処理）
上述した送信装置及び受信装置の間の通信処理を図５及び図６のフローチャートを用いて以下に説明する。
【００４３】
・送信処理
初めに、送信装置２００の送信処理について、図面を用いて説明する。
【００４４】
映像、音声、データ等のコンテンツは、コンテンツスクランブラ部２０１でスクランブル鍵（Ｋｓ）によりスクランブル化され、多重化部２０３に供給される。
【００４５】
一方、ＥＭＭ（Entitlement Management Message）は、各受信装置に伝送する個別の視聴契約情報である。このＥＭＭデータには“受信装置固有のＩＤ（Identification）”が付加されている。番組情報であるＥＭＭデータは、ＥＭＭ生成部２０２で生成され、 “受信装置固有のＩＤ”毎にユニークなマスター鍵（Ｋｍ）により暗号化された後、多重化部２０３でスクランブル化されたコンテンツ等と共に放送信号に多重される。
【００４６】
スクランブル鍵（Ｋｓ）は、ＥＭＭの一部として伝送されるワーク鍵（Ｋｗ）によって暗号化された後、ＥＣＭ生成部２０２により、ＥＣＭ（Entitlement Control Message）が生成される。このとき、非暗号部分に上述したＥＣＭ制御フラグである指定情報が付加される。ＥＣＭは、多重化部２０３にて、放送信号に多重される。
【００４７】
多重化された放送信号は、送信部２０４において、アンテナを介して送信される。又、通信部２０５によって、インターネット等の通信路を介して、各受信装置に供給される。
【００４８】
・受信処理
次に、受信装置１０１での受信処理について、図面を用いて説明する。
【００４９】
チューナ１０２により放送信号として受信されると、ＴＳデコード部１０４等により、スクランブル鍵（Ｋｓ）で暗号化されたコンテンツと、コンテンツの視聴制御に関わる番組情報（ＥＣＭ）と、契約に関わる個別情報（ＥＭＭ）とが抽出される。
【００５０】
同様に、通信処理部１０７がインターネット等の通信路を介して、上述したコンテンツ信号（スクランブルされたコンテンツ信号にＥＭＭ，ＥＣＭ等が多重された信号）を取得すると、ＴＳデコード部１０４等により、同様に、スクランブル鍵（Ｋｓ）で暗号化されたコンテンツと、コンテンツの視聴制御に関わる番組情報（ＥＣＭ）と、契約に関わる個別情報（ＥＭＭ）とを抽出する。
【００５１】
制御部１０８及びＫＳ制御部１１４は、ＴＳデコード部１０４でＴＳから分離されたＥＭＭを、ＩＣカードＩ／Ｆ部１１２を介してＩＣカード１５１内のＩ／Ｆ部１５２へ出力する。
【００５２】
制御部１０８及びＫＳ制御部１１４は、一例として図５のフローチャートに示すように、番組情報であるＥＣＭの上述した指定情報であるＥＣＭ制御フラグの値（０×０１，０×０２等）を解析する（ステップＳ１１）。そして、解析結果に応じて、あて先を受信機内のＥＣＭ処理部Ａ１１１又はＩＣカード１５１内のＩ／Ｆ部１５２へ選択的に出力する（ステップＳ１２）。
【００５３】
ステップＳ１２にて制御部１０８及びＫＳ制御部１１４がカードをあて先と判断すると、このＥＣＭがＩＣカード１５１内のＩ／Ｆ部１５２に供給される。ＩＣカード１５１内のＩ／Ｆ部１５２は、このＥＣＭをＥＣＭ処理部Ｂ１５３に引き渡す。ＥＣＭ処理部Ｂ１５３では、不揮発性メモリ１５５に記憶しているワーク鍵（Ｋｗ）でこのＥＣＭを復号して、番組の視聴が可能か否かの判定後、視聴可能な場合にはスクランブルを解くための鍵情報をデジタル放送受信装置１０１内のＩＣカードＩ／Ｆ部１１２へ出力する（ステップＳ１３）。このワーク鍵はＩＣカードＩ／Ｆ部１１２から入力されたＥＭＭが、ＥＭＭ処理部１５４でメモリ１５５に記憶している“マスター鍵（Ｋｍ）”用いて復号されることにより取得され、不揮発性メモリ１５５に記憶される。
【００５４】
一方、ステップＳ１２にて制御部１０８及びＫＳ制御部１１４が受信機内のＥＣＭ処理部Ａ１１１をあて先と判断すると、ＥＣＭ処理部Ａ１１１に制御部１０８の制御により受信したＥＣＭが入力される。ＥＣＭ処理部Ａ１１１ではメモリ１１３に記憶しているワーク鍵（Ｋｗ）でこのＥＣＭを復号する（ステップＳ１３）。このワーク鍵（Ｋｗ）はたとえば受信機製造時にあらかじめ記憶される。そして、番組を視聴可能か否かの判定後、視聴可能な場合にはスクランブルを解くための鍵情報をＫＳ制御部１１４に供給する。
【００５５】
ＫＳ制御部１１４では、ＥＣＭ処理部Ａ、ＥＣＭ処理部Ｂの少なくともいずれかから入力された鍵情報を、図６のフローチャートに示すように、ＥＣＭの入力データ数を判断する（ステップＳ２１）。そして、“１”であれば、スクランブル鍵Ｋｓをデスクランブラ１０３にセットする。ここで、“２”であれば、二つの入力を演算してスクランブル鍵Ｋｓを算出し、このスクランブル鍵Ｋｓをデスクランブラ１０３にセットする（ステップＳ２２）。
【００５６】
この演算は例えば２つの入力の排他的論理和であり、その他、四則演算や一方を鍵、もう一方をデータとして暗号演算をおこなった結果としてもよい。排他的論理和の場合、入力が1の場合は、他方を０とすることでそのままの値が出力されるため、入力数の判定を演算処理に含める構成にしてもよい。
【００５７】
ＫＳ制御部１１４の制御により、スクランブル鍵（Ｋｓ）がデスクランブラ１０３にセットされることにより、デスクランブラ１０３にてコンテンツのデスクランブルが行われて、コンテンツは視聴可能となる。
【００５８】
デスクランブラ１０３で復号されたコンテンツは、ＴＳデコード部１０４、映像音声デコード部１０５、表示処理部１０６によりそれぞれ映像処理された後に、モニタ等の画面上に再生されるものである。
【００５９】
以上、説明したように、本発明の一実施形態に係る通信処理により、有料コンテンツを視聴するためのＥＣＭはＩＣカード内でのＥＣＭ処理で行い、ＲＭＰ利用のコンテンツに対しては内蔵されたＥＣＭ処理部でＥＣＭを処理する構成にすることにより、このコンテンツを速やかに視聴することができる受信装置、送信装置、受信方法を提供することができる。
【００６０】
（他の実施形態）
また、他の実施例として、上述したようにＫｓ制御部１１４や制御部１０８により、ＥＣＭの供給先を判断して供給するのではなく、全てのＥＣＭを制御部１０８からそのままＥＣＭ処理部Ａ１１１及びＥＣＭ処理部Ｂ１５３に入力してもよい。この場合、各ＥＣＭ処理部Ａ１１１とＥＣＭ処理部Ｂ１５３にて、自身が処理すべきＥＣＭがあるかどうかをＥＣＭ制御フラグに基づき判定し、自身が処理すべきＥＣＭがあった場合にはそのＥＣＭを処理するとした動作を行なうことも好適である。
【００６１】
すなわち、この実施形態では、ＥＣＭ処理部Ａ１１１及びＥＣＭ処理部Ｂ１５３に、ＥＣＭの非暗号部分に記載されるＥＣＭ制御フラグの処理先識別を解釈する機能をもたせるものであり、たとえば複数のカードがあった場合にカード毎に処理先を指定するようなことが可能となる。
【００６２】
以上説明したようにこの発明によれば、ＲＭＰ利用の地上デジタル放送のネットワークでの再送信とＶＯＤ等の有料コンテンツ配信等の共存が比較的容易でかつユーザの利便性を考慮した限定受信システムを提供することが可能になる。
【００６３】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００６４】
【図１】本発明の一実施形態に係る受信装置の構成の一例を示すブロック図。
【図２】本発明の一実施形態に係る送信装置の構成の一例を示すブロック図。
【図３】本発明の一実施形態に係る受信装置が用いるＥＣＭの構成の一例を示す説明図。
【図４】本発明の一実施形態に係る受信装置が用いるＥＣＭの構成の他の一例を示す説明図。
【図５】本発明の一実施形態に係る受信装置の受信処理の一例を示すフローチャート。
【図６】本発明の一実施形態に係る受信装置のＥＣＭの処理の一例を示すフローチャート。
【符号の説明】
【００６５】
１０１…デジタル放送受信装置、１０２…チューナ部、１０３…デスクランブラ、１０４…ＴＳデコーダ部、１０５…映像音声デコード部、１０６…表示処理部、１０７…通信処理部、１０８…制御部、１０９…キー入力部、１１１…ＥＣＭ処理部Ａ、１１２…ＩＣカードＩ／Ｆ部、１１３…メモリ、１１４…ＫＳ制御部、１５１…ＩＣカード、１５２…Ｉ／Ｆ部、１５３…ＥＣＭ処理部、１５４…ＥＭＭ処理部、１５５…メモリ。
【図１】
2008092187.tif 000003
【図２】
2008092187.tif 000004
【図３】
2008092187.tif 000005
【図４】
2008092187.tif 000006
【図５】
2008092187.tif 000007
【図６】
2008092187.tif 000008